(57)【特許請求の範囲】
【請求項１】
浴槽と洗い場とを有する浴室ユニットの脱衣所側の側壁に開口枠を設け、浴室ユニットと隣接する脱衣所の側壁に出入口枠を設け、開口枠と出入口枠とを連通させて浴室ユニット内と脱衣所とを連通させ、開口枠に巾方向に摺動する引戸を取り付け、開口枠の巾方向の一側端に引戸が収納される戸袋部を設けると共にこの戸袋部を除く開口枠の開口を引戸にて開閉自在にし、開口枠の巾方向の両側端の間の位置で且つ脱衣所側の位置に方立を上下間に亘って立設し、上記方立と開口枠の一側端の脱衣所側の部位との間を閉塞するように目くら板を配設し、戸袋部を方立、目くら板及び開口枠で囲まれた浴室ユニット側に開放せる空間で形成し、戸袋部を除く開口枠の開口と略同じ大きさの開口を有するように出入口枠を形成し、戸袋部を除く開口枠の開口と出入口枠の開口とを連通させるように出入口枠の浴室ユニット側の端部を方立と開口枠の他側端とに連結し、開口枠の巾方向に平行な一対の片を浴室ユニット側及び脱衣所側に対向させて配置すると共に上記一対の片における開口枠の他側端側の端部同士を開口枠の巾方向に直交する片にて連結して略Ｆ字状の断面形状を有するように方立を形成し、方立の対向する一対の片の間に目くら板の方立側の端縁を嵌合し、方立における開口枠の巾方向に平行な一対の片のうちの脱衣所側の片と開口枠の巾方向に直交する片とで形成された角部分に出入口枠の浴室ユニット側の端部を沿わせて方立の開口枠の巾方向に直交する片に固定したことを特徴とする浴室ユニットの出入口の構造。
【請求項２】
開口枠に設けた引戸が２枚の引戸から成ることを特徴とする請求項１記載の浴室ユニットの出入口の構造。
【発明の詳細な説明】
【０００１】
【発明の属する技術分野】
本発明は、浴室ユニットの出入口の構造に関する発明であり、詳しくは隣接する脱衣所と浴室ユニットとを連通する出入口の構造に関する発明である。
【０００２】
【従来の技術】
従来から浴室ユニットＡにおいては図６に示すように、脱衣所Ｂと隣接する側壁３ａに開口枠４が設けられ、また開口枠４には２枚の引戸６ａ’，６ｂ’と嵌め殺し戸６ｃ’が設けられているものである。開口枠４は浴室ユニットＡの一つの側壁３ａの大部分を占めて形成されるものである。開口枠４の浴室ユニットＡ側の上下端にはレール３９が２条設けられ、上記レール３９に２枚の引戸６ａ’，６ｂ’が摺動自在に嵌合されるものである。また、開口枠４には方立３７’が開口枠４の一側端４ａから間隔を設けた脱衣所Ｂ側の位置において立設し、上記方立３７’と開口枠４とで嵌め殺し戸６ｃ’が嵌合し固着されている。上記の２枚の引戸６ａ’，６ｂ’及び嵌め殺し戸６ｃ’は同一の形状を有するものであり、上下左右の端部に枠框２４を設け、その枠框２４により囲まれる部分にはガラス２６を設けてある。また上記２枚の引戸６ａ’，６ｂ’のうち洗い場２に近い引戸６ａ’には取っ手３５がついており、レール３９に沿って摺動させることで引戸６ａ’，６ｂ’が開閉されるものである。また、脱衣所Ｂには出入口枠３２が設けてあり、上記出入口枠３２は開口枠４と同等の大きさを有し、出入口枠３２と開口枠４を重ねて設け、出入口枠３２と開口枠４とを介して脱衣所Ｂと浴室ユニットＡを連通するものである。
【０００３】
【発明が解決しようとする課題】
しかしながら、上記のような浴室ユニットの出入口の構造では、浴室ユニットＡの側壁３ａに設けられる開口枠４が占める面積が大きいものであり、また同様に脱衣所Ｂの側壁３１に設けられる出入口枠３２の大きさも同様に大きなものになる。このように脱衣所Ｂの側壁３１の大部分の面積において浴室ユニットＡへの通路として使用されることで、脱衣所Ｂの側壁３１に沿わせて物を置くことができるスペースは相対的に減少するものである。脱衣所Ｂは浴室ユニットＡに隣接していて水周りに関するものを設置するには配管上便利な場所であるが、例えば脱衣所Ｂの側壁３１に沿わせて洗濯機４０などを置くことは上記の理由により難しいものである。また、開口枠４及び出入枠８’の前に置くことになった場合は、浴室ユニットＡ内より引戸６ａ’，６ｂ’及び嵌め殺し戸６ｃ’のガラス２６を通して洗濯機４０の蔭が見えてしまい景観が損なわれるものである。
【０００４】
本発明は上記の点に鑑みてなされたものであり、景観を損なわずに脱衣所に物を置くスペースを確保することができる浴室ユニットの出入口の構造を提供するものである。
【０００５】
【課題を解決するための手段】
上記課題を解決するために本発明の請求項１に係る浴室ユニットの出入口の構造は、浴槽１と洗い場２とを有する浴室ユニットＡの脱衣所Ｂ側の側壁３ａに開口枠４を設け、浴室ユニットＡと隣接する脱衣所Ｂの側壁３１に出入口枠３２を設け、開口枠４と出入口枠３２とを連通させて浴室ユニットＡ内と脱衣所Ｂとを連通させ、開口枠４に巾方向に摺動する引戸６を取り付け、開口枠４の巾方向の一側端に引戸６が収納される戸袋部７を設けると共にこの戸袋部７を除く開口枠４の開口５を引戸６にて開閉自在にし、開口枠４の巾方向の両側端の間の位置で且つ脱衣所Ｂ側の位置に方立３７を上下間に亘って立設し、上記方立３７と開口枠４の一側端の脱衣所Ｂ側の部位との間を閉塞するように目くら板７ａを配設し、戸袋部７を方立３７、目くら板７ａ及び開口枠４で囲まれた浴室ユニットＡ側に開放せる空間で形成し、戸袋部７を除く開口枠４の開口５と略同じ大きさの開口を有するように出入口枠３２を形成し、戸袋部７を除く開口枠４の開口５と出入口枠３２の開口とを連通させるように出入口枠３２の浴室ユニットＡ側の端部３２ａを方立３７と開口枠４の他側端とに連結し、開口枠４の巾方向に平行な一対の片３７ａ，３７ｂを浴室ユニットＡ側及び脱衣所Ｂ側に対向するように配置すると共に上記一対の片３７ａ，３７ｂにおける開口枠４の他側端側の端部同士を開口枠４の巾方向に直交する片３７ｃにて連結して略Ｆ字状の断面形状を有するように方立３７を形成し、方立３７の対向する一対の片３７ａ，３７ｂの間に目くら板７ａの方立３７側の端縁を嵌合し、方立３７における開口枠４の巾方向に平行な一対の片３７ａ，３７ｂのうちの脱衣所Ｂ側の片３７ｂと開口枠４の巾方向に直交する片３７ｃとで形成された角部分に出入口枠３２の浴室ユニットＡ側の端部３２ａを沿わせて方立３７の開口枠４の巾方向に直交する片３７ｃに固定したことを特徴とするものである。上記のように開口枠４の一側に引戸６を開いたときに収納される戸袋部７を設けて、上記戸袋部７を除いた開口枠４の開口５と略同じ大きさの出入口枠３２を設けて浴室ユニットＡと脱衣所Ｂを連通させことより、脱衣所Ｂの側壁３１の浴室ユニットＡへの通路が占める面積を減少させることができ、脱衣所Ｂのスペースの有効活用を図ることができるものである。また、浴室ユニットＡ内から脱衣所Ｂ及び脱衣所Ｂの側壁３１が透かして見えることがなくなり、景観が向上するものである。
【０００６】
また、本発明の請求項２に係る浴室ユニットの出入口の構造は請求項１において、開口枠４に設けた引戸６が２枚の引戸６ａ，６ｂから成ることを特徴とするものである。
【０００８】
【発明の実施の形態】
以下、本発明を添付図面に示す実施形態に基づいて説明する。
【０００９】
図１乃至４に本発明の実施の形態の例を示す。図２及び３に示すように浴室ユニットＡは大きく分けて浴槽１と洗い場２から成るものである。浴槽１の底面１ｃは洗い場２の床面２ａよりも低く設定されるものである。また、浴槽１の洗い場２にはエプロン９が略垂直に形成され、洗い場２の床面２ａと接しているものである。
【００１０】
浴槽１の下面１ｃには排水孔１０があり、また浴槽１の側壁１ｂには手すりの機能を持たせた段差１ｄを設けている。洗い場２側と反対側の浴室ユニットＡの側壁３ｃには手すり１１が突設してあり、その上部には窓１２が設けてあるものである。また、浴槽１の上部の天井には換気扇１３を備えた外部への換気管路１３ａが設けてあるものである。
【００１１】
洗い場２は水勾配を持った床面２ａで構成されており、本例の場合は浴槽１方向にかけて下り勾配を設けている。水勾配の先には排水溝１４が設けられており、その排水溝１４から繋がる排水管路１４ａは浴室ユニットＡの下部において、上記排水孔１０から繋がる排水管路１０ａと一つに合流しているものである。また開口枠４の手前の洗い場２の床面２ａにおいても、脱衣所Ｂへの水の流入を防ぐように排水溝１５を設けてあり、上記排水溝１５から繋がる排水管路１５ａも同様に上記の排水管路１４ａ，１０ａと一つに合流するものである。本例の場合では洗い場２の床面２ａは開口枠４及び脱衣所Ｂの床面３３と同等の高さ位置をもって接しており、障害者及び高齢者に配慮したバリアフリー設計になっているものである。また、洗い場２の上部には開閉可能な天井点検口３４が設けられているものである。
【００１２】
浴室ユニットＡの一片の側壁３ｂには鏡１６が設けられ、隣接して上下方向に亘って手すり１７が設けられ、手すり１７の中ほどにはシャワー１８が取り付けられている。シャワー１８は鏡１６の下部において側壁３ｂに設けられたシャワー供給管路出口１８ａから伸びているものである。またシャワー供給出口１８ａに隣接して水道蛇口１９があるものである。また洗い場２の床面２ａに接してカウンター２０が上記側壁３ｂより突設しているものである。
【００１３】
開口枠４は浴室ユニットＡの側壁３ａと側壁３ｄとに取り付けた取付金具３８により浴室ユニットＡと脱衣室Ｂとを連通するように取り付けられるものである。開口枠４は側壁３ｄからカウンター２０の先端２０ａまでの巾を有するものである。図４に示すように、開口枠４の上端には突起２１が開口枠４の巾方向に亘って設けられており、突起２１の先端には略Ｔ字断面状のレール板２２が開口枠４の巾方向に亘って固着されている。開口枠４の下端には２条の突起レール２３が開口枠４の巾方向に亘って形成されている。突起２１と２条の突起レール２３は開口枠４の巾方向に垂直な断面において、２条の突起レール２３の間に突起２１があるような位置関係を有するものである。また、開口枠４の両側端には、後述する引戸６ａ，６ｂ及び目くら板７ａを嵌合させるための突起４ｂ（図１）が設けられているものである。
【００１４】
上記のような外郭を有する開口枠４の内部には方立３７が上記突起レール２３よりも脱衣所Ｂ側の位置でかつ、開口枠４の側端部４ａから目くら板７ａの巾と同様の間隔の位置に立設されるものである。上記の方立３７は略Ｆ字状の断面形状を有するものであり、片３７ａ、３７ｂ及び３７ｃから構成されるものである。また，片３７ｂには引っ掛け金具３０が設けられるものである。
【００１５】
戸袋部７は目くら板７ａ、開口枠４に設けた方立３７及び開口枠４から囲まれる空間で形成されるものである。目くら板７ａは後述する２枚の引戸６ａ，６ｂと同様の大きさを有しており、上下左右の端部に枠框２４を設けてあり、その枠框２４により囲まれる部分にアルミ製の目くらパネル７ｂを設けているものである。上記のように構成される目くら板７ａが開口枠４の側端部４ａの突起４ｂと方立３７の片３７ａ，３７ｂの間に嵌合され、開口枠４に固定されるものである。
【００１６】
引戸６は本例の場合、２枚の引戸６ａ，６ｂでもって構成されており、戸袋部７で覆われた部分以外の開口枠４の領域の開口５を塞ぐように配置されている。２枚の引戸６ａ，６ｂは同様な大きさをもって形成されており、それぞれ上下左右の端部分に枠框２４が設けられている。その枠框２４により囲まれる部分においては、洗い場２の近くに配される引戸６ａではがらり２５を設けた上にガラス２６を設けてあり、脱衣所Ｂの近くに配される引戸６ｂではガラス２６を設けてある。また２枚の引戸６ａ，６ｂの上端部にはＬ型部材２７が巾方向の両端部にて取り付けてあり、下端部には巾方向に亘って略コの字型の枠框２８を固着している。Ｌ型部材２７はその上端においてローラー２９が取り付けられているものである。また、引戸６ａには側壁３ｄ側において洗い場２側及び脱衣所Ｂ側に取っ手３５が設けられている。
【００１７】
以上のような構成を有する２枚の引戸６ａ，６ｂは、略コの字断面状の枠框２８に開口枠４の突起レール２３を挿入し、ローラー２９をレール板２２の上に引っ掛けることで、摺動自在に開口枠４に取り付けられるものである。また、引戸６ａ，６ｂを全て閉じたような状態（図１の状態）において引戸６ａ，６ｂと方立３７とが重なる部分にそれぞれ一対の引っ掛け金具３０を引戸６ａ，６ｂに設け、また６ａの取っ手３５に隣接して突起３６が設けてあることで、引戸６ａ，６ｂを開閉する際には連動して動くようにしてあるものである。
【００１８】
また、浴室ユニットＡと隣接する脱衣所Ｂの側壁３１には、開口枠４と連通する出入口枠３２が設けられている。出入口枠３２は開口５と略同形状を有するものである。そして、出入口枠３２の浴室ユニットＡ側の端部３２ａでは方立３７の片３７ｃに固定されるものであり、脱衣所Ｂ側の端部３２ｂでは側壁３１と嵌合して固着されるものである。このように開口枠４よりも小さい出入口枠３２を設けたことにより、上記側壁３１の浴室ユニットＡへの通路として占める面積が減少し、脱衣所Ｂのスペースの有効活用が図られ、併せて、上記の目くら板７ａを用いた戸袋部７を設けたことにより、上記出入口枠３２を設けた効果によって設置できた水周り関係の物品等（例えば洗濯機４０）を浴室ユニットＡ内から見えないようにすることができ、景観を崩すことなくスペースの有効活用が図れるものである。
【００１９】
また、実施の形態の他例として、図５に示すように、洗い場２の床面２ａの開口枠４の手前の部分において排水溝１５を設けずに、脱衣所Ｂの床面３３を洗い場２の床面２ａよりも高い位置に設定し、洗い場２の床面２ａと脱衣所Ｂの床面３３に接する開口枠４の下端４ｃを傾斜を持たせて配置してある。これによって脱衣所Ｂへの水の侵入を防ぐことができ、洗い場２の床面２ａの開口枠４の手前において排水溝１５を設ける場所的な余裕がない場合でも、排水溝１５を設ける効果と同等の効果を得られるものであり、適度な傾斜でスムーズに洗い場２の床面２ａと脱衣所Ｂの床面３３とに繋ぐことができれば、バリアフリーに近い効果も得られるものである。
【００２０】
【発明の効果】
上記のように本発明の請求項１記載の浴室ユニットの出入口の構造にあっては、脱衣所の側壁の浴室ユニットへの通路が占める面積を減少させることができて脱衣所のスペースの有効活用が図ることができると共に、浴室ユニット内から脱衣所及び脱衣所の側壁が透かして見えることがなくなって景観が向上するものである。
【図面の簡単な説明】
【図１】本発明の実施の形態の例の上面断面図である。
【図２】同上の上面図である。
【図３】同上の側面図である。
【図４】同上の側面断面図である。
【図５】本発明の実施の形態の他例を示す側面断面図である。
【図６】従来の実施の形態の例を示す上面断面図である。
【符号の説明】
３ａ  側壁
４  開口枠
６ａ  引戸
６ｂ  引戸
７  戸袋部
７ａ  目くら板
７ｂ  目くらパネル
２４  枠框
２６  ガラス
３１  側壁
３２  出入口枠
３７  方立
Ａ  浴室ユニット
Ｂ  脱衣所
【図１】
0003603699.tif 000002
【図２】
0003603699.tif 000003
【図３】
0003603699.tif 000004
【図４】
0003603699.tif 000005
【図５】
0003603699.tif 000006
【図６】
0003603699.tif 000007